(57)【特許請求の範囲】
【請求項１】
サービス領域内のＭＳ（Ｍｏｂｉｌｅ  Ｔｅｒｍｉｎａｌ）に一時ＩＰ（Ｉｎｔｅｒｎｅｔ  Ｐｒｏｔｏｃｏｌ）アドレスを割り当て、前記ＭＳの電源がオン状態であれば、隣接したパケットデータサービスノード（ＰＤＳＮ：Ｐａｃｋｅｔ  Ｄａｔａ  Ｓｅｒｖｉｎｇ  Ｎｏｄｅ）とダイレクトリンクを設定してプロトコルを保持し、前記ダイレクトリンクを介して前記隣接したＰＤＳＮへハンドオーバー情報及び一時ＩＰアドレスを伝送する支援ＰＤＳＮと、
前記サービス領域内に移動したＭＳからの要請に応じて前記一時ＩＰアドレスをＩＰプールに登録するターゲットＰＤＳＮと、
を含み、
前記ターゲットＰＤＳＮは、前記一時ＩＰアドレスにおいて前記ＭＳへ伝送するダウンリンクフレームデータを前記ダイレクトリンクを介して前記支援ＰＤＳＮから受信し、前記隣接ＰＤＳＮは、前記ターゲットＰＤＳＮであることを特徴とするパケットスイッチング無線通信システム。
【請求項２】
前記ＭＳは、前記ターゲットＰＤＳＮのサービス領域への移動後、前記一時ＩＰアドレスを前記支援ＰＤＳＮに返還し、前記ＩＰプールからＩＰアドレスに対応する新しい一時ＩＰアドレスを付与されることを特徴とする請求項１に記載のパケットスイッチング無線通信システム。
【請求項３】
前記ＭＳは、データ伝送またはデータ受信が完了した後、前記一時ＩＰアドレスを前記支援ＰＤＳＮに返還することを特徴とする請求項２に記載のパケットスイッチング無線通信システム。
【請求項４】
前記ＭＳは、該ＭＳが休止状態に進入すれば、前記一時ＩＰアドレスを前記支援ＰＤＳＮに返還することを特徴とする請求項２に記載のパケットスイッチング無線通信システム。
【請求項５】
ＭＳが支援ＰＤＳＮからターゲットＰＤＳＮにハンドオーバーする方法において、
前記支援ＰＤＳＮのサービス領域内において前記ＭＳに一時ＩＰアドレスを付与するステップと、
前記ＭＳがオン状態であれば、前記支援ＰＤＳＮと前記ターゲットＰＤＳＮとの間にダイレクトリンクを設定し、プロトコル設定を保持するステップと、
前記ダイレクトリンクを介して前記支援ＰＤＳＮからターゲットＰＤＳＮへ前記ＭＳのハンドオーバー情報及び一時ＩＰアドレスを伝送するステップと、
前記ターゲットＰＤＳＮへ前記一時ＩＰアドレスの登録を要請するステップと、
前記ターゲットＰＤＳＮのＩＰプール内に前記ＭＳの一時ＩＰアドレスを登録するステップと、を含むことを特徴とするハンドオーバー方法。
【請求項６】
コアネットワークから伝送されたダウンリンクフレームデータをダイレクトリンクを介して前記支援ＰＤＳＮからターゲットＰＤＳＮへ伝送するステップと、
前記一時ＩＰアドレスにおいて前記ターゲットＰＤＳＮのサービス領域内にある前記ＭＳへ前記ダウンリンクフレームデータを伝送するステップとをさらに含むことを特徴とする請求項５に記載のハンドオーバー方法。
【請求項７】
前記一時ＩＰアドレスを前記支援ＰＤＳＮに返還するステップと、
前記ターゲットＰＤＳＮへの新しいポイント・ツー・ポイントプロトコル（ＰＰＰ：Ｐｏｉｎｔ−ｔｏ−Ｐｏｉｎｔ  Ｐｒｏｔｏｃｏｌ）接続を通じて前記ＭＳに新しい一時ＩＰアドレスを付与し、前記コアネットワークに前記新しい一時ＩＰアドレスを登録するステップとをさらに含むことを特徴とする請求項６に記載のハンドオーバー方法。
【請求項８】
前記コアネットワークは、前記ＭＳのホームエージェントを含むことを特徴とする請求項７に記載のハンドオーバー方法。
【請求項９】
前記新しい一時ＩＰアドレスは、前記ターゲットＰＤＳＮ内のＩＰプールからのＩＰアドレスに対応することを特徴とする請求項７に記載のハンドオーバー方法。
【請求項１０】
前記ＭＳは、データ伝送またはデータ受信が完了した後、前記一時ＩＰアドレスを前記支援ＰＤＳＮに返還することを特徴とする請求項７に記載のハンドオーバー方法。
【請求項１１】
前記ＭＳは、該ＭＳが休止状態に進入すれば、前記一時ＩＰアドレスを前記支援ＰＤＳＮに返還することを特徴とする請求項７に記載のハンドオーバー方法。
【発明の詳細な説明】
【技術分野】
【０００１】
本発明は、ハードハンドオーバーを支援するパケットスイッチング無線通信システム及びハードハンドオーバー方法に係り、より詳しくは、データの損失や遺失のないモバイルＩＰハードハンドオーバーを支援するパケットスイッチング無線通信システム及びハードハンドオーバー方法に関する。
【背景技術】
【０００２】
モバイルインターネットプロトコル（ＩＰ：Ｉｎｔｅｒｎｅｔ  Ｐｒｏｔｏｃｏｌ）は、インターネットに接続された装置のＩＰの移動性を支援するＩＰである。モバイルＩＰの下で、移動端末（ＭＳ：Ｍｏｂｉｌｅ  Ｔｅｒｍｉｎａｌ）が移動する途中に該ＭＳのホームネットワークでない他の固定されたネットワークを通じてインターネットに接続した時、該ＭＳにＩＰアドレスが割り当てられる。
【０００３】
図１は、一般のパケットスイッチング無線通信システムのネットワークを示すブロック図である。図１を参照してモバイルＩＰについてより具体的に説明すれば、次のとおりである。
【０００４】
ＭＳ１０１は、最初の加入時に自分のホームネットワーク領域を経由してインターネットに接続され、自分のホームエージェント（ＨＡ：Ｈｏｍｅ  Ａｇｅｎｔ）１０８から固有ＩＰアドレスを受信する。しかし、ＭＳ１０１が自分のホームネットワーク領域を離れて他のネットワーク領域に移動すれば、該他のネットワーク領域内にある外部エージェント（ＦＡ：Ｆｏｒｅｉｇｎ  Ａｇｅｎｔ）１０５のＩＰアドレスに当たるＣｏＡ（Ｃａｒｅ−ｏｆ−Ａｄｄｒｅｓｓ）を付与され、該ＦＡから一時ＩＰアドレスを付与される。その後、サーバー１０７は、ＭＳ１０１が自分のホームネットワーク領域を離れた場合でも、ＭＳ１０１の固有ＩＰアドレスを用いるＨＡ１０８へデータを伝送する。ＨＡ１０８は、移動端末１０１に関するデータを伝送され、それをカプセル化した後、該カプセル化したデータをＭＳ１０１の移動した地域のＦＡ１０５のＩＰアドレスに対応するＣｏＡへ伝送する。すると、ＦＡ１０５は、上記一時ＩＰアドレスを用いるＭＳ１０１へデータを伝送する。したがって、サーバー１０７からＭＳ１０１へ伝送されるデータは、上記他のネットワーク領域内のＨＡ１０８及びＦＡ１０５を経由する。
【０００５】
上述したモバイルＩＰ構造において、ＭＳ１０１がハンドオーバーを行うとき、先ず、ＭＳ１０１は、ハンドオーバー要請を、パケット制御機能（ＰＣＦ：Ｐａｃｋｅｔ  Ｃｏｎｔｒｏｌ  Ｆｕｎｃｔｉｏｎ）が結合できる支援ＢＳＣ（ｓｅｒｖｉｎｇ  Ｂａｓｅ  Ｓｔａｔｉｏｎ  Ｃｏｎｔｒｏｌｌｅｒ）１０２、及び支援パケットデータサービスノード（ＰＤＳＮ:Ｐａｃｋｅｔ  Ｄａｔａ  Ｓｅｒｖｉｎｇ  Ｎｏｄｅ）１０３を介してＨＡ１０８へ伝送する。そして、ＭＳ１０１が移動する領域内のターゲットＦＡがターゲットＰＤＳＮ１０５及びターゲットＢＳＣ／ＰＣＦ１０４に接続された場合、ＭＳ１０１は、支援ＢＳＣ１０２と支援ＰＤＳＮ１０３に設定されていたリンクを解除した後、ターゲットＰＤＳＮ／ＦＡ１０５に対して新しいリンクを設定し、ターゲットＦＡ１０５から一時ＩＰアドレスを付与される。したがって、サーバー１０７から伝送されるデータは、ＨＡ１０８を介して上記ターゲットＦＡ１０５が提供した一時ＩＰアドレスにおいてＭＳ１０１へ伝送されるようになる。
【０００６】
上述した従来のハンドオーバー方式では、ＭＳ１０１がホームネットワーク領域内にある以前のチャンネルを離れて他のネットワーク領域内にある新しいチャンネルにハードハンドオーバーされる時、該他のネットワーク領域のチャンネルと接続される前にホームネットワーク領域のチャンネルとの接続が切れるという問題点がある。したがって、無線インターフェースに対してのアップリングク及びダウンリンク経路が中断し、データフレームの遺失をもたらし得る。
【０００７】
大韓民国公開特許第１０-２００１-００６２３１９号には、支援ＰＤＳＮ１０３とターゲットＰＤＳＮ１０５間にダイレクトリンクを設定することで、ハードハンドオーバーの遂行中におけるＭＳへの接続中断がより少なく、且つ短いハードハンドオーバーを提供する方法を開示している。
【０００８】
具体的には、ターゲットＰＤＳＮ１０５は、支援ＰＤＳＮ１０３に一時ダイレクトリンク（ｔｅｍｐｏｒａｒｙ  ｄｉｒｅｃｔ  ｌｉｎｋ）を要請するものである。すると、ターゲットＰＤＳＮ１０５が支援ＰＤＳＮ１０３に対してダイレクトリンクを要請した後、ＭＳ１０１から支援ＰＤＳＮ１０３へアップリングクフレームが伝送されると、支援ＰＤＳＮ１０３は、上記一時ダイレクトリンクを介してアップリングクフレームをＭＳ１０１からターゲットＰＤＳＮ１０５へ伝送する。それと同時に、支援ＰＤＳＮ１０３は、上記アップリングクフレームを、インターネット１０６を含むコアネットワークへ伝送する。すると、コアネットワークは、ダウンリンクフレームをターゲットＰＤＳＮ１０５と支援ＰＤＳＮ１０３の両方へ伝送する。ターゲットＰＤＳＮ１０５は、ハンドオーバーを完了すべき時期を決め、ハンドオーバー指令信号をコアネットワークを介して支援ＰＤＳＮ（１０３）へ伝送する。
【０００９】
しかしながら、上記大韓民国公開特許第１０-２００１-００６２３１９号によると、先ず、支援ＰＤＳＮ１０３とターゲットＰＤＳＮ１０５間の一時ダイレクトリンクを要請し設定する過程で遅延が生じ得る。また、コアネットワークにハンドオーバーを要請し、これに対する応答を受ける過程で遅延が生じ得る。上記要請は、インターネット１０６を含むコアネットワークを通る必要があるため、その遅延時間が非常に大きい。また、ハンドオーバーが終了するまでデータがコアネットワークからターゲットＰＤＳＮ１０５と支援ＰＤＳＮ１０３の両方へ伝送されるため、ネットワークの負荷が二重になるという問題点がある。
【特許文献１】大韓民国公開特許第１０-２００１-００６２３１９号
【発明の開示】
【発明が解決しようとする課題】
【００１０】
そこで、本発明は、上記問題点を解決するためになされたものであって、データの損失や遺失のないモバイルＩＰハードハンドオーバーを支援するパケットスイッチング無線通信システム及びハードハンドオーバー方法を提供することをその目的とする。
【００１１】
本発明の他の目的及び長所は、後述の説明や本発明の実施の形態によれば、明らかに分かるであろう。
【課題を解決するための手段】
【００１２】
上記目的を達成するための本発明の一実施の形態によるパケットスイッチング無線通信システムは、サービス領域内のＭＳに一時ＩＰアドレスを割り当て、隣接したパケットデータサービスノード（ＰＤＳＮ：Ｐａｃｋｅｔ  Ｄａｔａ  Ｓｅｒｖｉｎｇ  Ｎｏｄｅ）とダイレクトリンクを保持し、上記ダイレクトリンクを介して上記隣接したＰＤＳＮへハンドオーバー情報及び一時ＩＰアドレスを伝送する支援ＰＤＳＮ、及び上記サービス領域内に移動したＭＳからの要請に応じて上記一時ＩＰアドレスをＩＰプールに登録するターゲットＰＤＳＮと、を含んで構成される。また、上記ターゲットＰＤＳＮは、上記一時ＩＰアドレスにおいて上記ＭＳへ伝送するダウンリンクフレームデータを上記ダイレクトリンクを介して上記支援ＰＤＳＮから受信し、上記隣接ＰＤＳＮは上記ターゲットＰＤＳＮであることを特徴とする。
【００１３】
また、本発明は、ＭＳが支援ＰＤＳＮからターゲットＰＤＳＮにハンドオーバーする方法を提供する。上記ハンドオーバー方法は、上記支援ＰＤＳＮのサービス領域内において上記ＭＳに一時ＩＰアドレスを付与するステップと、上記支援ＰＤＳＮと上記ターゲットＰＤＳＮとの間にダイレクトリンクを設定し、プロトコル設定を保持するステップと、上記ダイレクトリンクを介して上記支援ＰＤＳＮからターゲットＰＤＳＮへ上記ＭＳのハンドオーバー情報及び一時ＩＰアドレスを伝送するステップと、上記ターゲットＰＤＳＮに上記一時ＩＰアドレスの登録を要請するステップ、及び上記ターゲットＰＤＳＮのＩＰプール内に上記ＭＳの一時ＩＰアドレスを登録するステップと、を含んで構成される。
【発明の効果】
【００１４】
上記のような本発明は、ターゲットＰＤＳＮと支援ＰＤＳＮ間にダイレクトリンクを設定し、ハンドオーバーを要請するのにかかる遅延を低減することができる。また、コアネットワークにＭＳのハンドオーバー状態を知らせることなくハンドオーバーを行うことにより、コアネットワークによって起こり得る遅延を低減することができる。さらに、ＭＳがハンドオーバーを行う過程でＩＰの再設定をしないようにすることにより、データの途切れや遺失が生じないようにする効果を奏する。
【発明を実施するための最良の形態】
【００１５】
以下、添付した図面を参照して本発明について詳述する。なお、上述した説明及び後述する内容は、特許請求の範囲に記載された本発明に係る好適な実施の形態を記載したものに過ぎないことが理解できるであろう。
【００１６】
また、本明細書において、ある構成要素が他の構成要素に「接続」されたという表現は、二つの構成要素が直接接続され、または別の要素が介在した状態で接続されたことを意味する。これに対し、ある構成要素が他の構成要素に「ダイレクト接続」されたという表現は、別の要素が介在することなく二つの構成要素が直接接続されたことを意味する。
【００１７】
本発明による実施の形態の説明に先立って、本発明に含まれるＡｌｗａｙｓ＿ｏｎ技術について簡略に説明する。
【００１８】
Ａｌｗａｙｓ＿ｏｎ技術とは、ＭＳとＰＤＳＮ／ＦＡ間のデータリンクであるＰＰＰ（Ｐｏｉｎｔ-ｔｏ-Ｐｏｉｎｔ  Ｐｒｏｔｏｃｏｌ）接続を常時保持する技術のことをいう。すなわち、ＭＳの電源がオン状態でＡｌｗａｙｓ＿ｏｎ技術が活性化している状態であれば、ＭＳとネットワーク間のＰＰＰ設定が保持されるのである。ＰＰＰ設定が保持されるということは、データトラフィックがないだけで、残りの認証手続きやエント・ツー・エンド（ｅｎｄ−ｔｏ−ｅｎｄ）間のネットワークプロトコルの設定を保持するということを意味する。したがって、ＰＰＰ設定が保持される間、移動端末とＰＤＳＮ／ＦＡ間には別途のＰＰＰ接続過程を行うことなく直接データを送受信することができる。
【００１９】
図２は、本発明の一実施の形態によるパケットスイッチング無線通信システムのネットワークを示すブロック図である。
【００２０】
図２に示すように、本発明では、ターゲットＰＤＳＮ２０５と支援ＰＤＳＮ２０３間のリンク２０８ａにＡｌｗａｙｓ＿ｏｎ技術を適用している。すなわち、支援ＰＤＳＮ２０３と接続しているＭＳに対する認証やネットワークプロトコルに対する設定を予め行っておき、それを保持させる。したがって、ＭＳ２０１が支援ＰＤＳＮ２０３からターゲットＰＤＳＮ２０５にハンドオーバーされる時、支援ＰＤＳＮ２０３は、そのような情報をターゲットＰＤＳＮ２０５へ直接送ることができる。また、支援ＰＤＳＮ２０３は、サーバー２０７から受信したダウンリンクフレームをターゲットＰＤＳＮ２０５へ伝送することができる。
【００２１】
図２において、支援ＰＤＳＮ２０３はＩＰプール２０９を有し、ターゲットＰＤＳＮ２０５はＩＰプール２１０を有する。一般に、ＩＰプール２１０のようなＩＰプールは、ターゲットＰＤＳＮ／ＦＡ２０５によってターゲットＢＳＣ／ＰＣＦ２０４を介して移動中のＭＳに付与できる一時ＩＰアドレスを有している。ターゲットＰＤＳＮ／ＦＡ２０５は、ターゲットＰＤＳＮ／ＦＡ２０５への接続を設定したＭＳ２０１に対してＩＰプール２１０にある一時ＩＰアドレスのうち一つを一時的に付与する。ＩＰプールの例を挙げると、次のとおりである。
ターゲットＰＤＳＮのＩＰプール２１０：（３.０.０.１）、（３.０.０.２）、（３.０.０.３）、（３.０.０.３）、（３.０.０.４）…
支援ＰＤＳＮのＩＰプール２０９：（２.０.０.１）、（２.０.０.２）、（２.０.０.３）、（２.０.０.３）、（２.０.０.４）…
【００２２】
しかしながら、本願発明では、ＭＳ２０１が支援ＰＤＳＮ２０３から一時ＩＰアドレスを付与され、リンク２０１ａ、２０２ａ、２０３ａ及び２０４ａを介してサーバー２０７へデータを伝送する。仮に、ＭＳ２０１がターゲットＰＤＳＮ２０５にハンドオーバーされる場合、ターゲットＰＤＳＮ２０５からＩＰアドレスを付与されずに支援ＰＤＳＮ２０３から付与された一時ＩＰアドレスを使い続ける。
【００２３】
例えば、ＭＳ２０１が自分のＨＡ２０８に登録しておいた固有のＩＰアドレスを１.０.０.１であると仮定し、支援ＰＤＳＮ２０３から付与された一時ＩＰアドレスを２.０.０.１であると仮定する。
【００２４】
ＭＳ２０１に関するデータは２０４ａリンクを介してサーバー２０７からインターネット２０６に伝送され、その後、２０５ａリンクを介してＨＡ２０８に到逹する。データは、ＨＡ２０８でカプセル化される。カプセル化されたデータは、リンク２０５ａを介してＨＡ２０８からインターネット２０６へ伝送され、その後、リンク２０３ａを介して現在の支援ＰＤＳＮ２０３へ伝送される。支援ＰＤＳＮ２０３に到着したカプセル化されたデータは、支援ＢＳＣ／ＰＣＦ２０２を介して一時ＩＰアドレス２.０.０.１を有するＭＳ２０１へ伝送される。データを伝送されたＭＳ２０１は、ＨＡ２０８を介さずに、リンク２０１ａ、２０２ａ、２０３ａ及び２０４ａを介してサーバー２０７へデータを伝送する。
【００２５】
ＭＳ２０１がハンドオーバーを行うとき、支援ＰＤＳＮ２０３は、ハンドオーバー情報を、インターネット２０６及びサーバー２０７を含むコアネットワークへ送ることなく、ダイレクトリンク２０８ａを介してターゲットＰＤＳＮ２０５へハンドオーバー情報を送る。この時、支援ＰＤＳＮ２０３は、ＭＳ２０１に付与された一時ＩＰアドレス２.０.０.１をターゲットＰＤＳＮ２０５へ送る。
【００２６】
その後、ハンドオーバーを遂行中であるＭＳ２０１は、ターゲットＢＳＣ／ＰＣＦ２０４を介してターゲットＰＤＳＮ２０５に一時ＩＰアドレス２.０.０.１の登録を要請する。上記登録要請に含まれた一時ＩＰアドレスと支援ＰＤＳＮ２０３がリンク２０８ａを介して支援ＰＤＳＮ２０３からターゲットＰＤＳＮ２０５へ伝送された一時ＩＰアドレスとが一致すれば、ターゲットＰＤＳＮ２０５は、その一時ＩＰアドレスを自分のＩＰプール２１０に一時的に登録し、ＭＳ２０１がその一時ＩＰアドレスを使い続けることができるようにする。
【００２７】
また、サーバー２０７からＨＡ２０８を介して支援ＰＤＳＮ２０３に到着したダウンリンクフレームデータは、リンク２０８ａを介してターゲットＰＤＳＮ２０５へ伝送され、ターゲットＰＤＳＮ２０５へ伝送されたダウンリンクフレームデータは、リンク２０７ａを介して一時ＩＰアドレス２.０.０.１を使っているＭＳ２０１へ伝送される。上述した過程を通じて、活性化状態にあり、且つ支援ＰＤＳＮ２０３が付与した一時ＩＰアドレスを使っているＭＳ２０１は、データの途切れや遺失なしにハンドオーバーを行うことができる。
【００２８】
仮に、ターゲットＰＤＳＮ２０５へのハンドオーバーを行い、支援ＰＤＳＮ２０３が付与した一時ＩＰアドレスを使うＭＳ２０１がデータ休止状態に進入し、またはデータの伝送を終了した場合、ＭＳ２０１は、支援ＰＤＳＮ２０３の一時ＩＰアドレス２.０.０.１を支援ＰＤＳＮ２０３に返還することができる。その後、ＭＳ２０１は、ターゲットＰＤＳＮ２０５に対する新しいＰＰＰ接続を通じて新しい一時ＩＰアドレス３.０.０.１を付与され、ＨＡ２０８を含むコアネットワークにＦＡ２０５のＣａｒｅ−ｏｆ  Ａｄｄｒｅｓｓ（ＣｏＡ）を登録させる。その後、ＭＳ２０１が休止状態から復帰し、またはデータをやり取りするとき、サーバー２０７は、ＨＡ２０８、リンク２０５ａ及び２０６ａを介してＣｏＡからターゲットＰＤＳＮ２０５へデータを伝送し、ターゲットＰＤＳＮ２０５は、３.０.０.１の一時ＩＰアドレスを付与されたＭＳ２０１へデータを伝送する。
【００２９】
図３は、本発明の一実施の形態によるパケットスイッチング無線通信システムにおけるハードハンドオーバー方法を説明するフローチャートである。
【００３０】
図３に示すように、先ず、支援ＰＤＳＮとターゲットＰＤＳＮ間にはＡｌｗａｙｓ＿ｏｎ技術を用いてダイレクトリンクを設定する（Ｓ３０１）。すなわち、ターゲットＰＤＳＮは、支援ＰＤＳＮと接続しているＭＳに対する認証やネットワークプロトコルに対する設定をしておき、それを保持する。
【００３１】
次いで、支援ＰＤＳＮと接続されているＭＳがハンドオーバーを行うとき、支援ＰＤＳＮは、ターゲットＰＤＳＮへＭＳのハンドオーバー情報及び支援ＰＤＳＮがＭＳに付与した一時ＩＰアドレス情報を送る（Ｓ３０２）。
【００３２】
次いで、ＭＳは、ターゲットＢＳＣを介してターゲットＰＤＳＮに対して、支援ＰＤＳＮが付与し、現在使っている一時ＩＰアドレスの登録を要請する（Ｓ３０３）。
【００３３】
ターゲットＰＤＳＮは、ＭＳが登録要請した一時ＩＰアドレスとダイレクトリンクを介して支援ＰＤＳＮによって伝送された一時ＩＰアドレスとを比べる（Ｓ３０４）。
【００３４】
仮に、ＭＳが登録要請した一時ＩＰアドレスと支援ＰＤＳＮによって伝送された一時ＩＰアドレスとが一致する場合、ターゲットＰＤＳＮは、一時ＩＰアドレスを自分のＩＰプールに一時的に登録する（Ｓ３０５）。
【００３５】
その後、インターネットサーバーからＨＡを介して支援ＰＤＳＮへ伝送されたダウンリンクフレームデータは、ダイレクトリンクを介してターゲットＰＤＳＮへ伝送される（Ｓ３０６）。
【００３６】
ターゲットＰＤＳＮは、ダイレクトリンクを介してダウンリンクフレームデータを受信し、ターゲットＢＳＣを介してハンドオーバーを行うＭＳへダウンリンクフレームデータを伝送する（Ｓ３０７）。
【００３７】
一方、ＭＳがデータ休眠状態に進入し、またはデータの伝送を終了した場合、支援ＰＤＳＮから付与された一時ＩＰアドレスを支援ＰＤＳＮに返還する（Ｓ３０８）。
【００３８】
その後、ＭＳは、ターゲットＰＤＳＮによって新しいＰＰＰ接続に関する新しい一時ＩＰアドレスを付与され、ＨＡを含むコアネットワークに変更されたＦＡのＣｏＡを登録させる（Ｓ３０９）。
【００３９】
次いで、ＭＳが休眠状態から復帰し、またはデータをやり取りすると、インターネットサーバーは、ＨＡを介してＣｏＡからターゲットＰＤＳＮへダウンリンクフレームデータを伝送し（Ｓ３１０）、ターゲットＰＤＳＮは、ダウンリンクフレームデータを新しい一時ＩＰアドレスを付与されたＭＳへ伝送する（Ｓ３１１）。
【００４０】
上述したような本発明の方法は、プログラムに実現されコンピュータ読取可能な形態にて、ＣＤＲＯＭ、ＲＡＭ、ＲＯＭ、フロッピーディスク、ハードディスク、光磁気ディスクのような記録媒体に記憶することができる。以上で説明した本発明は、本発明の属する技術分野における通常の知識を有する者であれば、本発明の技術的思想を逸脱しない範囲内で種々の置換、変形及び変更が可能であるので、実施の形態及び添付した図面によって限定されるものではない。
【図面の簡単な説明】
【００４１】
【図１】一般のパケットスイッチング無線通信システムのネットワークを示すブロック図である。
【図２】本発明の一実施の形態によるパケットスイッチング無線通信システムのネットワークを示すブロック図である。
【図３】本発明の一実施の形態によるパケットスイッチング無線通信システムにおけるハードハンドオーバー方法を説明するフローチャートである。
【符号の説明】
【００４２】
２０１：移動端末
２０２：支援ＢＳＣ
２０３：支援ＰＤＳＮ
２０４：ターゲットＢＳＣ
２０５：ターゲットＰＤＳＮ
２０６：インターネット
２０７：サーバー
２０８：ホームエージェント（ＨＡ）
【図１】
0004578497.tif 000002
【図２】
0004578497.tif 000003
【図３】
0004578497.tif 000004